(57)【特許請求の範囲】
【請求項１】
錠の閂に内蔵され、特定の周波数で共振する共振回路と、
前記閂が嵌入する受け穴に面して設けられ、前記閂が前記受け穴に嵌入したときに、前記共振回路との間で電磁結合するコイルと、
該コイルにパルス信号を供給するパルス発生回路と、
前記閂が前記受け穴に嵌入して前記共振回路が前記コイルと電磁結合し、前記パルス発生回路からのパルス信号が断たれる毎に前記共振回路から発生する共振回路固有の周波数信号を受けたときに、施錠した旨の信号を出力する判別回路と、
該判別回路からの施錠した旨の信号により施錠の表示を行う表示器とを備えたことを特徴とする施錠確認装置。
【請求項２】
各錠毎の閂に内蔵され、各々異なる周波数で共振する複数の共振回路と、
該共振回路のそれぞれに対応して前記閂が嵌入する受け穴に面した状態で２本の伝送線に接続され、前記閂が前記受け穴に嵌入したときに、前記共振回路との間で電磁結合する複数のコイルと、
該複数のコイルのそれぞれにパルス信号を供給するパルス発生回路と、
前記閂が前記受け穴に嵌入して前記共振回路が前記コイルと電磁結合し、前記パルス発生回路からのパルス信号が断たれる毎に前記共振回路から発生する共振回路固有の周波数信号を受けたときに、施錠した旨の信号を出力する判別回路と、
該判別回路からの施錠した旨の信号により施錠の表示を行う表示器とを備えたことを特徴とする施錠確認装置。
【請求項３】
第１のコイルと、該第１のコイルに順方向接続されたダイオードと、該ダイオードを介して前記第１のコイルに並列接続されたコンデンサ及び第２のコイルとを備えて錠の閂に内蔵され、特定の周波数で共振する共振回路と、
前記閂が嵌入する受け穴に面して設けられ、前記閂が前記受け穴に嵌入したときに、前記共振回路の第１のコイルとの間で電磁結合する第３のコイルと、
該第３のコイルにパルス信号を供給するパルス発生回路と、
前記閂が前記受け穴に嵌入して前記共振回路の第１のコイルが前記第３のコイルと電磁結合し、前記パルス発生回路からのパルス信号が断たれる毎に前記共振回路から発生する共振回路固有の周波数信号を受けたときに、施錠した旨の信号を出力する判別回路と、
該判別回路からの施錠した旨の信号により施錠の表示を行う表示器とを備えたことを特徴とする施錠確認装置。
【請求項４】
第１のコイルと、該第１のコイルに順方向接続されたダイオードと、該ダイオードを介して前記第１のコイルに並列接続されたコンデンサ及び第２のコイルとを備えて各錠毎の閂に内蔵され、各々異なる周波数で共振する複数の共振回路と、
該共振回路のそれぞれに対応して前記閂が嵌入する受け穴に面した状態で２本の伝送線に接続され、前記閂が前記受け穴に嵌入したときに、前記共振回路の第１のコイルとの間で電磁結合する複数の第３のコイルと、
該第３のコイルのそれぞれにパルス信号を供給するパルス発生回路と、
前記閂が前記受け穴に嵌入して前記共振回路の第１のコイルが前記第３のコイルと電磁結合し、前記パルス発生回路からのパルス信号が断たれる毎に前記共振回路から発生する共振回路固有の周波数信号を受けたときに、施錠した旨の信号を出力する判別回路と、
該判別回路からの施錠した旨の信号により施錠の表示を行う表示器とを備えたことを特徴とする施錠確認装置。
【発明の詳細な説明】
【０００１】
【発明の属する技術分野】
本発明は、建物の施錠を遠隔地で確認するための施錠確認装置に関するものである。
【０００２】
【従来の技術】
例えば複数のテナントが入ったビル等の建物では、共通出入口を通じて様々な人の出入りがなされる。そして、この種の共通出入口を備えた建物では、例えば本来施錠状態にある筈の共通出入口が解錠されて不用意に人が侵入しないように、共通出入口の施錠状態を遠隔地で監視して防犯、警備を行うべく、図４や図５に示す施錠確認装置を採用している。
【０００３】
図４の施錠確認装置は、一番多い仕様であり、機械的スイッチにより閂の突出を検知するものである。機械的スイッチ５１は、閂５２が嵌入する受け穴５３が形成された扉枠５４内に設けられ、閂５２の突出によって移動するアクチュエータ５５と、アクチュエータ５５の移動に伴ってオン・オフするマイクロスイッチ５６とを備えて構成される。マイクロスイッチ５６には、遠隔地（例えば管理室や警備センター等）に配設された表示器としてのランプ５７が電源５８を介して接続されている。
【０００４】
この施錠確認装置では、施錠動作により閂５２が突出して受け穴５３に嵌入すると、閂５２によってアクチュエータ５５が押される。このアクチュエータ５５の移動によりマイクロスイッチ５６がオンすると、回路が閉じてランプ５７に電源が供給される。これにより、ランプ５７が点灯し、施錠を確認することができる。
【０００５】
図５の施錠確認装置は、図４の施錠確認装置の改善例の１つであり、リードスイッチにより閂の突出を検知するものである。尚、図４の施錠確認装置と同一の構成要素には同一番号を付して説明する。
【０００６】
この施錠確認装置の閂５２の先端面には、磁石６１が設けられている。閂５２が嵌入する受け穴５３が形成された扉枠５４内には、リードスイッチ６２が磁石６１に対面して設けられている。リードスイッチ６２には、遠隔地（例えば管理室や警備センター等）に配設された表示器としてのランプ５７が電源５８を介して接続されている。
【０００７】
この施錠確認装置では、施錠動作により閂５２が突出して受け穴５３に嵌入すると、閂５２の先端面に設けられた磁石６１がリードスイッチ６２に接近する。磁石６１の磁気によりリードスイッチ６２の接点が閉じると、回路が閉じてランプ５７に電源が供給される。これにより、ランプ５７が点灯し、施錠を確認することができる。
【０００８】
【発明が解決しようとする課題】
しかしながら、図４の施錠確認装置では、閂５２の突出検知が全くの機械的条件のみで行われるため、閂５２と異物とを判別出来ない。例えば紙、樹脂、木材、金属等がアクチュエータ５５を押した場合でも閂５２と認識するので、閂５２以外の異物によって施錠と誤認する恐れがあった。
【０００９】
又、図５の施錠確認装置では、紙、樹脂、木材等の非磁性体からなる異物による誤認を防止することはできるが、閂５２以外の磁気を帯びた異物がリードスイッチ６２に接近すると、この異物に反応してリードスイッチ６２の接点が閉じて閂と認識し、施錠と誤認する恐れがあった。
【００１０】
このように、図４及び図５に示す何れの従来の施錠確認装置においても、錠の閂５２の突出による施錠状態を機械的条件によって検知する構成なので、閂５２以外の物体でも閂５２と認識して施錠と誤認する危険があった。従って、防犯や警備上において重要な施錠の確認を確実に行うことができなかった。
【００１１】
ところで、例えばホテル等のように複数の部屋の錠の状態を管理室で一括して集中管理する場合には、上述した図４又は図５に示す施錠確認装置を各錠毎に採用し、各錠から管理室までの間の配線を行っている。
【００１２】
しかしながら、上記構成では、錠の数だけの回線数の配線が必要となり、それぞれの錠に対して１回線の配線を行わなければならず、全体として工事費が嵩むという問題があった。
【００１３】
又、上記以外の構成では、マイクロコンピュータで構成される監視盤に対し、それぞれにアドレスを割り付けた回路基板を複数デイジーチェーン接続し、各回路基板を錠側のスイッチストライク（マイクロスイッチ又はリードスイッチ）に接続したものが知られている。この構成では、監視盤から各回路基板に対してアドレスを指定してデータ通信を行うことにより、各錠の施錠を監視盤により一括して確認できるが、製品が大がかりで高価であるという問題があった。
【００１４】
そこで、本発明は、上記問題点に鑑みてなされたものであり、遠隔地での施錠確認を確実に行え、複数の錠の施錠確認を一系統の配線で行うことができる施錠確認装置を提供することを目的としている。
【００１５】
【課題を解決するための手段】
上記目的を達成するため、請求項１の発明は、錠の閂に内蔵され、特定の周波数で共振する共振回路と、
前記閂が嵌入する受け穴に面して設けられ、前記閂が前記受け穴に嵌入したときに、前記共振回路との間で電磁結合するコイルと、
該コイルにパルス信号を供給するパルス発生回路と、
前記閂が前記受け穴に嵌入して前記共振回路が前記コイルと電磁結合し、前記パルス発生回路からのパルス信号が断たれる毎に前記共振回路から発生する共振回路固有の周波数信号を受けたときに、施錠した旨の信号を出力する判別回路と、
該判別回路からの施錠した旨の信号により施錠の表示を行う表示器とを備えたことを特徴とする。
【００１６】
請求項２の発明は、各錠毎の閂に内蔵され、各々異なる周波数で共振する複数の共振回路と、
該共振回路のそれぞれに対応して前記閂が嵌入する受け穴に面した状態で２本の伝送線に接続され、前記閂が前記受け穴に嵌入したときに、前記共振回路との間で電磁結合する複数のコイルと、
該複数のコイルのそれぞれにパルス信号を供給するパルス発生回路と、
前記閂が前記受け穴に嵌入して前記共振回路が前記コイルと電磁結合し、前記パルス発生回路からのパルス信号が断たれる毎に前記共振回路から発生する共振回路固有の周波数信号を受けたときに、施錠した旨の信号を出力する判別回路と、
該判別回路からの施錠した旨の信号により施錠の表示を行う表示器とを備えたことを特徴とする。
【００１７】
請求項３の発明は、第１のコイルと、該第１のコイルに順方向接続されたダイオードと、該ダイオードを介して前記第１のコイルに並列接続されたコンデンサ及び第２のコイルとを備えて錠の閂に内蔵され、特定の周波数で共振する共振回路と、
前記閂が嵌入する受け穴に面して設けられ、前記閂が前記受け穴に嵌入したときに、前記共振回路の第１のコイルとの間で電磁結合する第３のコイルと、
該第３のコイルにパルス信号を供給するパルス発生回路と、
前記閂が前記受け穴に嵌入して前記共振回路の第１のコイルが前記第３のコイルと電磁結合し、前記パルス発生回路からのパルス信号が断たれる毎に前記共振回路から発生する共振回路固有の周波数信号を受けたときに、施錠した旨の信号を出力する判別回路と、
該判別回路からの施錠した旨の信号により施錠の表示を行う表示器とを備えたことを特徴とする。
【００１８】
請求項４の発明は、第１のコイルと、該第１のコイルに順方向接続されたダイオードと、該ダイオードを介して前記第１のコイルに並列接続されたコンデンサ及び第２のコイルとを備えて各錠毎の閂に内蔵され、各々異なる周波数で共振する複数の共振回路と、
該共振回路のそれぞれに対応して前記閂が嵌入する受け穴に面した状態で２本の伝送線に接続され、前記閂が前記受け穴に嵌入したときに、前記共振回路の第１のコイルとの間で電磁結合する複数の第３のコイルと、
該第３のコイルのそれぞれにパルス信号を供給するパルス発生回路と、
前記閂が前記受け穴に嵌入して前記共振回路の第１のコイルが前記第３のコイルと電磁結合し、前記パルス発生回路からのパルス信号が断たれる毎に前記共振回路から発生する共振回路固有の周波数信号を受けたときに、施錠した旨の信号を出力する判別回路と、
該判別回路からの施錠した旨の信号により施錠の表示を行う表示器とを備えたことを特徴とする。
【００１９】
本発明では、異なる周波数で共振する共振回路を各錠毎の閂に内蔵し、閂が嵌入する受け穴に面して設けられるコイルに対し、外部のパルス発生回路より電気的なエネルギーとしてのパルス信号を与え、閂が受け穴に嵌入してコイルと共振回路との間が電磁結合し、パルス発生回路からのパルス信号が断たれる毎に共振回路から発生する共振回路固有の周波数信号を受信したときに、施錠した旨の信号を出力し、この施錠した旨の信号により表示器を点灯表示して施錠の確認を行っている。
【００２０】
【発明の実施の形態】
図１は本発明による施錠確認装置の一実施の形態を示すブロック構成図である。
【００２１】
錠の扉１に設けられた閂２には共振回路３が内蔵されている。共振回路３は、コイル（第１のコイル）Ｌ１、ダイオードＤ、コンデンサＣ、コイル（第２のコイル）Ｌ２で構成される。
【００２２】
更に説明すると、コイルＬ１とコイルＬ２とは一端同士が接続され、コイルＬ１の他端にダイオードＤのアノードが接続される。ダイオードＤのカソードはコイルＬ２の他端に接続され、コイルＬ２にはコンデンサＣが並列接続される。そして、共振回路３の共振周波数ｆはコイルＬ２、コンデンサＣにより決定される。
【００２３】
閂２は、施錠時に不図示のアクチュエータにより突出し、扉枠４に取付けられたストライクの受け穴５に嵌入される。
【００２４】
閂２が嵌入される受け穴５に面した扉枠４内には、共振回路３のコイルＬ１に対向してコイル（第３のコイル）Ｌ３が配設されている。コイルＬ３の両端には２本一対で構成される一系統の伝送線６，７を介して遠隔表示盤８が接続されている。
【００２５】
遠隔表示盤８は、施錠確認の対象となる錠から離れた位置（例えば管理室、警備センター等）に配設され、パルス発生回路９、判別回路１０、表示器１１を備えて構成される。
【００２６】
パルス発生回路９は、伝送線６，７を介してコイルＬ３の両端に接続されており、電気的なエネルギーとしてパルス信号を伝送線６，７を介してコイルＬ３に供給している。
【００２７】
判別回路１０は、伝送線６，７に接続されており、閂２が受け穴５に嵌入してコイルＬ１とコイルＬ３が電磁結合し、コイルＬ３へのパルス発生回路９からのパルス信号が断たれる毎に共振回路３から発生する共振回路３固有の周波数信号をコイルＬ３が受信して入力されたときに、「施錠」を示す状態信号を出力している。これに対し、共振回路３固有の周波数信号を受信しないときには、「解錠」を示す状態信号を出力している。
【００２８】
表示器１１は、判別回路１０の出力に接続され、例えばランプ等で構成されている。表示器１１は、判別回路１０から「施錠」を示す状態信号が入力されたときに、施錠した旨を示すべくランプが点灯する。尚、表示器１１としては、外部から施錠の確認が行えれば、ランプの点灯表示に限らず、文字表示等で行ってもよい。
【００２９】
次に、上記のように構成された第１実施の形態による施錠確認装置の動作について説明する。錠の閂２に共振回路３を内蔵し、パルス発生回路９より各コイルＬ３にパルス信号を供給する。この状態で、施錠動作により閂２が受け穴５に嵌入して共振回路３のコイルＬ１が伝送線６，７に接続されたコイルＬ３に近づくと、コイルＬ１，Ｌ３間が電磁結合する。これにより、コイルＬ３、コイルＬ１、ダイオードＤを通じてコイルＬ２、コンデンサＣにパルス信号によるエネルギーが供給される。
【００３０】
そして、図２（ａ）に示すようにコイルＬ３からのパルス信号によるエネルギーが断たれる毎に、コイルＬ２の逆起電力は、図２（ｂ）に示すようなコイルＬ２、コンデンサＣで共振した振動を起こす。その際、ダイオードＤにより共振回路３内のコイルＬ１とコイルＬ２は分離され、コイルＬ２、コンデンサＣの共振Ｑは低下しない。これにより、共振回路３から発生する振動レベルが高く設定できる。
【００３１】
そして、コイルＬ１，Ｌ３間が電磁結合している状態で、共振回路３の周波数信号がコイルＬ１，Ｌ３を介して判別回路１０に入力されると、判別回路１０は「施錠」を示す状態信号を表示器１１に出力する。表示器１１は、判別回路１０から「施錠」を示す状態信号が入力されると、施錠を示す表示、例えばランプを点灯する。これにより、施錠の確認が行える。
【００３２】
これに対し、閂２以外の物体が受け穴５に接近又は嵌入した場合、閂２に内蔵された共振回路３のコイルＬ１は、伝送線６，７を介してパルス発生回路９に接続されたコイルＬ３とは電磁結合せず、パルス発生回路９からのパルス信号に対する応答がないので、判別回路１０からは「施錠」を示す状態信号が出力されない。従って、施錠状態にない錠を閂２以外の異物によって施錠と誤認することはない。
【００３３】
次に、図３は本発明による施錠確認装置の第２実施の形態を示す図である。尚、上述した第１実施の形態と同一の構成要素には同一番号を付し、詳細な説明については省略する。
【００３４】
この第２実施の施錠確認装置は、一系統の配線により複数の錠の施錠確認を行うものである。施錠確認の対象となる各錠の閂２（２1 〜２n ）には、前述した構成の共振回路３（３1 〜３n ）が内蔵されている。各共振回路３1 〜３n の共振周波数ｆ1 〜ｆn は、コイルＬ２（Ｌ２1 〜Ｌ２n ）、コンデンサＣ（Ｃ1 〜Ｃn ）で決定され、それぞれ異なる共振周波数に設定される。
【００３５】
２本一対で構成される伝送線６，７には、コイルＬ３が複数直列接続されている。コイルＬ３は、施錠確認の対象となる錠の数分だけ設けられる。各コイルＬ３1 〜Ｌ３n は、各錠の共振回路３1 〜３n に対応して閂２1 〜２n が嵌入される受け穴５1 〜５n に面して扉枠４1 〜４n 内に配設される。
【００３６】
複数のコイルＬ３1 〜Ｌ３n が接続された一系統の伝送線６，７の両端には遠隔表示盤１８が接続されている。遠隔表示盤１８は、施錠確認の対象となる錠から離れた位置（例えば管理室、警備センター等）に配設され、パルス発生回路９、通過フィルタ１２、判別回路１０、表示器１１を備えて構成される。
【００３７】
パルス発生回路９は、伝送線６，７の両端に接続されており、電気的なエネルギーとしてパルス信号を伝送線６，７を介してそれぞれのコイルＬ３1 〜Ｌ３n に供給している。
【００３８】
通過フィルタ１２は、施錠確認の対象となる錠の数分だけ伝送線６，７に接続されており、各共振回路３1 〜３n からコイルＬ３1 〜Ｌ３n に誘起される周波数信号を共振回路３1 〜３n の共振周波数毎に分離して通過させている。すなわち、各通過フィルタ１２1 〜１２n は、通過させる信号の設定周波数がそれぞれ異なっており、個々の設定周波数が共振回路３の個々の共振周波数ｆ1 〜ｆn と１：１で対応している。
【００３９】
各通過フィルタ１２1 〜１２n では、閂２が受け穴５に嵌入してコイルＬ１とコイルＬ３が電磁結合し、コイルＬ３へのパルス発生回路９からのパルス信号が断たれる毎に共振回路３から発生する共振回路３固有の周波数信号をコイルＬ３が受信したときに、設定周波数の信号のみを通過させている。
【００４０】
判別回路１０は、それぞれの通過フィルタ１２1 〜１２n の出力に接続されており、通過フィルタ１２から周波数信号が入力されたときに、「施錠」を示す状態信号を出力している。これに対し、周波数信号が入力されないときには、「解錠」を示す状態信号を出力している。
【００４１】
表示器１１は、それぞれの判別回路１０1 〜１０n の出力に接続され、例えばランプ等で構成されており、判別回路１０から「施錠」を示す状態信号が入力されたときに、施錠の確認が行えるようにランプを点灯する。
【００４２】
上記第２実施の形態による施錠確認装置では、各錠毎の閂２1 〜２n に共振回路３1 〜３n を内蔵し、パルス発生回路９より各コイルＬ３1 〜Ｌ３n にパルス信号を供給する。この状態で、施錠動作により閂２が受け穴５に嵌入して共振回路３のコイルＬ１が伝送線６，７に接続されたコイルＬ３に近づくと、コイルＬ１，Ｌ３間が電磁結合する。これにより、コイルＬ３、コイルＬ１、ダイオードＤを通じてコイルＬ２、コンデンサＣにパルス信号によるエネルギーが供給される。このエネルギーの供給は、施錠動作により閂２が受け穴５に嵌入された錠に対してのみ行われる。
【００４３】
そして、コイルＬ３からのパルス信号によるエネルギーが断たれる毎に、コイルＬ２の逆起電力は、コイルＬ２、コンデンサＣで共振した振動を起こす。この共振回路３の周波数信号は、電磁結合されたコイルＬ１，Ｌ３を介して通過フィルタ１２に入力される。通過フィルタ１２は、共振回路３からの周波数信号を共振周波数毎に分離しており、各通過フィルタ１２は、設定周波数と一致する周波数信号のみを通過させる。
【００４４】
そして、判別回路１０では、通過フィルタ１２により分離された周波数信号の有無を判別し、通過フィルタ１２から信号が入力されると、その判別回路１０は「施錠」を示す状態信号を表示器１１に出力する。表示器１１は、判別回路１０から「施錠」を示す状態信号が入力されると、施錠を示す表示、例えばランプを点灯する。
【００４５】
このように、第２実施の形態の施錠確認装置では、各錠からパルス信号の応答として遠隔表示盤１８に入力される周波数信号を共振回路３の共振周波数毎に通過フィルタ１２で分離している。そして、この分離された周波数信号の有無を判別回路１０で判別し、判別回路１０からの「施錠」を示す状態信号で表示器１１を点灯表示することにより、共振周波数に対応した各錠毎の施錠の確認を一系統の配線により行っている。
【００４６】
従って、上記各実施の形態の施錠確認装置によれば、閂２が受け穴５に嵌入したときに、閂２に内蔵された共振回路３に対して外部のパルス発生回路９からパルス信号によるエネルギーがコイルＬ１，Ｌ３間の電磁結合を介して与えられる。そして、エネルギーが断たれる毎に共振回路３から発生する共振回路３固有の周波数信号を受信すれば施錠と判別して施錠を示す表示を行い、受信しなければ解錠と判別される。この結果、従来のように、閂２以外の異物によって施錠と誤認することなく、受け穴５への閂２の出入に伴う錠の施錠状態（解錠状態も含む）を遠隔地でも確実に確認することができる。
【００４７】
そして、上記施錠確認装置は、受け穴５への閂２の出入に伴う施錠又は解錠を示す判別信号を遠隔地で電気信号として受け、この電気信号を表示器１１の点灯表示や警備用機器を駆動するための信号入力として利用でき、防犯上の機器に応用することができる。
【００４８】
ところで、上記第２実施の形態では、各錠毎に配設される複数のコイルＬ３（Ｌ３1 〜Ｌ３n ）が２本一対の伝送線６，７に対して直列接続された場合を図示して説明したが、Ｌ３（Ｌ３1 〜Ｌ３n ）コイルを２本一対の伝送線６，７に対して複数並列接続しても同様の効果を奏することができる。
【００４９】
【発明の効果】
以上の説明で明らかなように、本発明によれば、従来のように、閂以外の異物によって施錠と誤認することなく、受け穴への閂の嵌入による施錠状態を遠隔地でも確実に確認することができる。又、複数の錠の施錠確認を一系統の配線で行うことができる。
【図面の簡単な説明】
【図１】本発明による施錠確認装置の第１実施の形態を示すブロック構成図
【図２】（ａ），（ｂ）同施錠確認装置におけるパルス信号と共振周波数との関係を示す図
【図３】本発明による施錠確認装置の第２実施の形態を示すブロック構成図
【図４】機械的スイッチを用いた従来の施錠確認装置の概略構成図
【図５】リードスイッチを用いた従来の施錠確認装置の概略構成図
【符号の説明】
１…扉、２…閂、３…共振回路、４…扉枠、５…受け穴、６，７…伝送線、８，１８…遠隔表示盤、９…パルス発生回路、１０…判別回路、１１…表示器、１２…通過フィルタ、Ｌ１…第１のコイル、Ｄ…ダイオード、Ｃ…コンデンサ、Ｌ２…第のコイル、Ｌ３…第３のコイル。
【図１】
0003927269.tif 000002
【図２】
0003927269.tif 000003
【図３】
0003927269.tif 000004
【図４】
0003927269.tif 000005
【図５】
0003927269.tif 000006